(57)【要約】      （修正有）【課題】認証鍵の取得あるいは認証鍵の照合などの一連の認証作業を、通信回線が準備できない環境下でも実現可能にする。【解決手段】通信端末において実行されるアプリケーションとアプリケーションによって読みとられた電話番号を記憶する記憶領域とデータの出力を行うインターフェイスとを有する通信端末と、データの入力を行うインターフェイスと認証鍵を保存する記憶領域とを有する認証装置とから構成され、通信端末の記憶領域に記憶された電話番号がインターフェイスを介してデータ送受され、送受された電話番号が認証装置の解除動作を行う認証鍵として使用される手段を有する。【選択図】図２
2007272618.tif 000002
【特許請求の範囲】
【請求項１】
所定のアプリケーションと前記アプリケーションによって読みとられた電話番号を記憶する第１の記憶部と、第１の通信手段とを含む通信端末と、
前記第１の通信手段に接続する第２の通信手段と、認証鍵を保存する第２の記憶部と、前記通信端末の前記第１の記憶部に記憶された前記電話番号が前記第１の通信手段から前記第２の通信手段を介して送受されたとき、前記電話番号と前記認証鍵に基づいて前記認証装置の解除動作を行う解除手段とを含む認証装置と、
を含むセキュリティシステム。
【請求項２】
所定のアプリケーションと前記アプリケーションによって読みとられた電話番号を記憶する第１の記憶部と、第１の通信手段とを含む通信端末と、
前記第１の通信手段に接続する第２の通信手段と、認証鍵を保存する第２の記憶部と、前記通信端末の前記第１の記憶部に記憶された前記電話番号が前記第１の通信手段から前記第２の通信手段を介して送受されたとき、前記電話番号と前記認証鍵に基づいて前記認証鍵の解除動作を行う解除手段とを含む認証装置と、
を含み、前記認証装置の記憶部に登録解除用の認証鍵として使用する第１の通信端末の電話番号が予め記憶され、登録解除を行う際にその登録解除に用いられる第２の通信端末の電話番号が前記第２の通信端末の記憶部から前記認証装置の記憶部に前記第１の通信手段から前記第２の通信手段を介して送受され、前記第１の通信端末の電話番号と前記第２の通信端末の電話番号が一致した際に前記認証鍵の解除動作が行われるセキュリティシステム。
【請求項３】
前記第１および第２の通信手段が有線通信手段であることを特徴とする請求項１又は請求項２記載のセキュリティシステム。
【請求項４】
前記第１および第２の通信手段が近距離通信手段であることを特徴とする請求項１又は請求項２記載のセキュリティシステム。
【請求項５】
前記第１および第２の通信手段がそれぞれ非接触ＩＣカードと非接触ＩＣカードリーダライタであることを特徴とする請求項１又は請求項２記載のセキュリティシステム。
【請求項６】
前記電話番号を記憶する記憶領域が前記非接触ＩＣカードのメモリ領域であることを特徴とする請求項５記載のセキュリティシステム。
【請求項７】
認証鍵を用いるセキュリティシステムの認証装置であって、
通信端末に固有の電話番号を通信端末から受信する通信手段と、
前記通信手段を介して受信した前記電話番号を記憶する記憶部と、
前記電話番号が予め登録された認証鍵と同一であるかを判定する制御部と、
前記電話番号と前記認証鍵とが一致した際に所定の解除を行う解除部と、
を含む認証装置。
【請求項８】
認証鍵を用いるセキュリティシステムの通信端末であって、
アプリケーションを記憶する記憶部と、
前記認証鍵として通信端末に固有の電話番号を前記通信端末から読み出し前記記憶部に書き込むアプリケーションを実行するための制御部と、
前記記憶部に書き込まれた前記認証鍵を出力するための通信手段と、
を含む通信端末。
【請求項９】
認証鍵を用いるセキュリティシステムの通信端末で実行されるプログラムであって、
前記通信端末の電話番号を認証鍵として前記通信端末の記憶領域に記憶させ、前記記憶領域に記憶された前記認証鍵を有線通信手段あるいは近距離通信手段をもってデータ出力するプログラム。
【発明の詳細な説明】
【技術分野】
【０００１】
本発明は、認証鍵を用いたセキュリティシステム及びセキュリティシステムに用いられる通信端末に関する。特に、本発明は、たとえば、物品の受け渡し、秘密情報の閲覧管理、利用制限のある施設への入退場など、特定の受取人や事前の登録者にのみ利用を許可する必要がある用途、また、利用者の認証が必要なあらゆる用途に適用可能なセキュリティシステム及び通信端末に関する。
【背景技術】
【０００２】
従来のセキュリティシステムにおいては、一般に認証鍵が用いられている。これは、予め認証鍵を管理サーバ等に登録しておき、利用者が正しい認証鍵を持つ場合には利用を許可するものである。具体的な従来の認証システムの一例が特許文献１に記載されている。図６はその認証システムの認証手順を説明する図である。その手順は以下のとおりである。
【０００３】
利用者１が、外部装置４ｂの接続された携帯電話装置４ａを使って、サービスを申し込むと、認証受付サーバ３が、携帯電話装置４ａに認証受付の通知を送信する。外部装置４ｂはこの指示に応答して、携帯電話装置４ａから認証情報を送信させる。そして、認証受付サーバ３はこの認証情報が正しいと判断した場合には、鍵発行サーバ５に利用鍵の発行を依頼する。そして、鍵発行サーバ５は、その携帯電話装置４ａとサービス提供サーバ２とに、共通な利用鍵を発行する。外部装置４ｂは、この利用鍵を携帯電話装置４ａからサービス提供サーバ２に送信させて、利用申し込みをさせる。一方、サービス提供サーバ２は、上記サーバから発行されたものと同じ利用鍵を送信する利用者１に対し、サービスを提供する。これにより、認証のための操作を簡略しつつ、確実な認証で不正利用を防止することができる、とするものである。
この様に、特許文献１のシステムでは、認証のための鍵を取得するためにその都度管理サーバに通信回線を介して接続する必要があった。
【０００４】
【特許文献１】特願２００１−５７９１６９  外部装置及び認証システム
【発明の開示】
【発明が解決しようとする課題】
【０００５】
従来のシステムでは認証鍵の照合を管理サーバで行っていた。そのため、認証鍵を通信回線で送受信する必要があった。従って、通信回線が準備できない環境では使用することができない、加えて、認証作業を行う度に通信回線の使用費が発生するという課題が存在している。
【０００６】
本願発明の目的は、認証鍵の取得あるいは認証鍵の照合などの一連の認証作業を、通信回線が準備できない環境下でも実現可能にすることにある。それによって、高い安全性と利便性とを併せて実現することにある。
【課題を解決するための手段】
【０００７】
本発明の携帯電話番号を鍵としたセキュリティシステムは、所定のアプリケーションとそのアプリケーションによって読みとられた電話番号を記憶する第１の記憶部と、第１の通信手段とを含む通信端末と、第１の通信手段に接続する第２の通信手段と、認証鍵を保存する第２の記憶部と、通信端末の第１の記憶部に記憶された電話番号が第１の通信手段から前記第２の通信手段を介して送受されたとき、電話番号と認証鍵に基づいて認証装置の解除動作を行う解除手段とを含む認証装置とを含んでいる。
【０００８】
本発明の携帯電話番号を鍵としたセキュリティシステムにおける認証装置は、認証鍵を用いるセキュリティシステムの認証装置であって、有線手段を含む近距離通信手段を介してデータ入力された通信端末の記憶領域に記憶された電話番号を、認証装置の解除動作を行う認証鍵として使用する手段を有する。
【０００９】
本発明の携帯電話番号を鍵としたセキュリティシステムにおける通信端末は、電話番号をその認証鍵とする認証装置によるセキュリティシステムで用いられる通信端末であって、通信端末に記憶されて実行されたアプリケーションによって、電話番号が認証鍵として通信端末の記憶領域に記憶され、記憶領域に記憶された認証鍵が有線手段を含む近距離通信手段を介してデータの出力を行う手段を有する。
【００１０】
本発明の携帯電話番号を鍵としたセキュリティシステムにおけるプログラムは、電話番号をその認証鍵とする認証装置によるセキュリティシステムで用いられる通信端末に記憶されたプログラムであって、通信端末の電話番号を認証鍵として通信端末の記憶領域に記憶させ、記憶領域に記憶された認証鍵を有線手段を含む近距離通信手段を介してデータ出力する手段を有する。
【発明の効果】
【００１１】
本発明の携帯電話番号を鍵としたセキュリティシステム、認証装置、通信端末、プログラムでは、管理サーバを介さず認証装置単体で鍵の照合を行うことにより、通信回線が準備できない環境でも鍵のやり取りが可能となる。従って、鍵の照合が認証装置のみで処理可能であるため、管理サーバにアクセスする必要がなく有料の通信回線を特に必要としないという効果を奏する。更に、あらかじめ鍵となる携帯電話番号を記憶しておくという特徴を有しており、認証登録解除を行う際にそのつどパスワードを入力する必要がないという効果を奏する。
【発明を実施するための最良の形態】
【００１２】
以下、本発明の実施の形態について図面を参照して詳細に説明する。
【００１３】
図１は、本発明のセキュリティシステムの第１の実施の形態を示すブロック図である。
【００１４】
通信端末１１０は、各部位の制御を行う制御部１１１と、各種情報やアプリケーションを記憶する記憶部１１２と、表示を行う表示部１１３と、外部機器とのデータ送受口となる第１の通信手段としてのインターフェイス（Ｉ／Ｆ）１１４と、無線信号の送受を行う送受無線部１１５と、音声信号の送受を行う送受話部１１６と、テンキーなどによる数字や文字の入力などを行う操作部１１７と、指紋や顔認証などの手段によって通信端末１１０の使用制限解除を行う認証部１１８とを含む。一方、認証装置１２０は、各部位の制御を行う制御部１２１と、各種情報やアプリケーションを記憶する記憶部１２２と、表示を行う表示部１２３と、外部機器とのデータ送受口となる第２の通信手段としてのインターフェイス（Ｉ／Ｆ）１２４と、認証鍵が一致した場合に各種解除機能を実行する解除部１２９とを含んでいる。そして、通信端末１１０と認証装置１２０とのデータ送受は、通信端末１１０のＩ／Ｆ１１４と認証装置１２０のＩ／Ｆ１２４との間をケーブル１３０を介して行われる。
【００１５】
図２は、本発明によるセキュリティシステムの実施の形態の概要を説明するための図で、（ａ）は利用者による事前準備、（ｂ）は登録作業者による認証登録、（ｃ）は利用者による登録解除である。図１と図２を用いて、本発明の実施の形態の概要について最初に説明する。
【００１６】
（事前準備）
利用者の通信端末１１０は、本システム専用の通信端末アプリケーションをインターネット等からダウンロードして通信端末１１０の記憶部１１２に記憶する。記憶後、通信端末１１０は、この専用アプリケーションを記憶領域１１２から読み出して専用アプリケーションを起動する。起動した専用アプリケーションは通信端末１１０の固有情報である電話番号を読み出し、記憶部１１２においてこの専用アプリケーションによってのみアクセスできる特定のアドレスにその電話番号を保存する。保存された電話番号は、認証用の「鍵１」として使用される。
【００１７】
（認証登録）
登録作業者の通信端末１００（仮に通信端末１１０と同じく図１に示す構成を有するものとする）は、認証装置１２０にケーブル１３０を介して接続する。続いて、通信端末１００の記憶部１１２に記憶された専用アプリケーション（あらかじめダウンロードされていたものとする）を「登録モード」で起動する。ここで、「登録モード」での起動は、登録作業者のみが可能であるようセキュリティが保たれているものとする。登録作業者は、登録解除用の認証鍵として、登録したい通信端末（たとえば、通信端末１１０）の電話番号を操作部１１７からキー操作で入力する。起動された専用アプリケーションは、入力された電話番号を認証装置１２０に転送する。電話番号を受信した認証装置１２０は、その記憶部１２２に電話番号を保存する。保存された電話番号は「鍵２」として登録され、以上で認証登録が終了する。
【００１８】
（登録解除）
利用者は、通信端末１１０と認証装置１２０をケーブル１３０で接続する。通信端末１１０は、記憶部１１２に記憶された専用アプリケーションを今度は「解除モード」で起動する。起動された専用アプリケーションは、通信端末１１０の記憶部１１２に保存されている電話番号（鍵１）を、認証装置１２０に転送する。この際、利用者による認証鍵の入力操作は不要である。電話番号（鍵１）を受信した認証装置１２０は、その記憶部１２２に保存されている電話番号（鍵２）と比較を行う。そして、比較結果が一致した場合には登録解除が行われ、解除部１２９に解除命令がなされて各種解除動作がなされる。最後に、専用アプリケーションは記憶部１２２に保存されている電話番号（鍵２）の消去を行う。その結果、認証鍵は無効化され、登録解除への鍵使用は一回に限られる。
【００１９】
続いて、本発明によるセキュリティシステムの実施の形態の動作について、図１及びフローチャートを用いて詳細に説明する。
【００２０】
図５は、本発明によるセキュリティシステムの実施の形態の動作を表すフローチャートである。
【００２１】
まず、利用者（登録解除者）は通信端末１１０と認証装置１２０とをケーブル１３０を使って接続する（Ｓ１１１）。この接続はＩ／Ｆ１１４を経由して制御部１１に通知される。続いて、本システムを初めて運用する場合には、利用者は本システム専用の通信端末アプリケーションの入手が必要となる。制御部１１１は、この専用アプリケーションが通信端末１１０の記憶部１１２に記憶されているか否かを判定する（Ｓ１１２）。未記憶の場合、通信端末１１０の制御部１１１は、無線部１１５を無線ＬＡＮやモバイル回線に接続し、専用アプリケーションダウンロードし、記憶部１１２に記憶する（Ｓ１１３）。なお、専用アプリケーション１１Ａの入手方法としては、前記ダウンロードによる方法の他に、認証装置１２０からケーブル１３０を介して入手しても良い。ただし、この場合には、認証装置１２０に専用アプリケーションが格納されている必要がある。あるいは、本発明の実施の形態では専用アプリケーションが通信端末１１に予め内蔵されていても構わない。
【００２２】
次に、制御部１１１は、ダウンロードした本システム専用のアプリケーションを記憶部１１２から読み出して起動を行う（Ｓ１１４）。ただし、利用者が起動できるのは操作部１１７で「解除モード」を指定したときである。専用アプリケーションが初回起動である場合（Ｓ１１５）、制御部１１１の制御によって実行されている専用アプリケーションは通信端末１１０の固有情報である電話番号を通信端末１１０から読み出し（Ｓ１１６）、記憶部１１２の特定のアドレスに保存する（Ｓ１１７）。
【００２３】
以上のように、電話番号の自動的な読み出しと記憶部１１２の特定のアドレスへの書き込み動作は専用アプリケーションの初回起動時にのみ行われる。そして、この専用アプリケーションからのみアクセスできる記憶部１１２の特定アドレスに保存した電話番号は、認証用の「鍵１」として使用される。また、専用アプリケーションは一般の利用者に対しては解除モードでのみ起動可能である。つまり、特定の登録者のみが後述の「登録モード」を起動することができる。以上で、事前の準備が完了する。
【００２４】
続いて、登録者による認証登録を行う。
【００２５】
登録作業者は、登録作業者の通信端末１００と認証装置１２０をケーブル１３０で接続する（Ｓ１０１）。この接続はＩ／Ｆ１１４を経由して制御部１１に通知される。続いて、登録作業者は通信端末１００の記憶部１１２に記憶された専用アプリケーションを「登録モード」で起動する（Ｓ１０２）。この起動は、認証部１１８によりセキュリティを保った状態で制御部１１１の制御の基に起動するものとする。ここで、利用者が有する通信端末１００と登録作業者が有する通信端末１１０とは別の端末であることを想定している。その理由は、利用者（登録解除者）と登録作業者とは、同一の場所にいなかったり、あるいは同一の場所にいても別人であったりする場合があるからである。ここでは登録作業者の通信端末１００を用いて以下に説明する。
【００２６】
登録作業者は、認証鍵として使用したい携帯電話番号を、登録作業者の通信端末１００から自動的な読み取りではない手段（操作部１０７からのキー入力等）で入力する（Ｓ１０３）。即ち、認証鍵として使用したい電話番号を有する通信端末がその場に無くても、登録解除用の認証鍵として使用したい電話番号を登録作業者が知っていれば認証登録を行うことができる。起動された専用アプリケーションは、入力された電話番号をＩ／Ｆ１１４を経由して認証装置１２０に転送する（Ｓ１０４）。電話番号を受信した認証装置１２０は、その記憶部１２２に電話番号を保存する。保存された電話番号は「鍵２」として使用される。以上で認証登録が終了する。
【００２７】
以上の認証登録のステップにおいて特記すべきことは、登録作業者のみが専用アプリケーションについて登録モードを起動することが許可されており、かつ、登録作業を行うことができる点である。その登録作業者の使用許可は、認証部１０８において指紋、声紋、顔認証など手段によって行う。これによって本通信端末が第三者によって悪意で使用されることを防ぐ。また、登録作業者と利用者とが同一人物である場合は、登録作業に用いる通信端末１００とサービス利用に用いる通信端末１１０とを特に区別する必要は無い。
【００２８】
続いて、サービス利用を開始する登録解除を行う。
【００２９】
サービスを受けたい利用者（登録解除者）は、通信端末１１０と認証装置１２０をケーブル１３０で接続する（Ｓ１１１）。事前の準備は終了しているので、制御部１１１は、専用アプリケーションのダウンロード作業（Ｓ１１３）と電話番号の読出し書込み作業（Ｓ１１６乃至Ｓ１１７）はスキップする。
【００３０】
利用者は、通信端末１１０の記憶部１１２に記憶された専用アプリケーションを「解除モード」で起動する（Ｓ１１４）。制御部１１の制御のもとに起動された専用アプリケーションは、通信端末１１０の記憶部１１２に保存されている電話番号（鍵１）をＩ／Ｆ１１４から認証装置１２０に転送する（Ｓ１１８）。電話番号（鍵１）を受信（Ｓ１２３）した認証装置１２０の制御部１２１は、その記憶部１２２に保存されている電話番号（鍵２）と比較を行う（Ｓ１２４）。そして、比較結果が一致した場合には、制御部１２１から登録解除が行われ解除部１２９に解除命令がなされて各種解除動作がなされる（Ｓ１２５）。最後に、制御部１２１は記憶部１２２に保存されている電話番号（鍵２）を消去する（Ｓ１２６）。その結果、認証鍵は無効化され、登録解除への鍵使用は一回に限られる。一方、Ｓ１２４の比較において鍵１と鍵２が一致しない場合には、電話番号（鍵１）の受信待ち（Ｓ１２３）に遷移する。即ち、この場合には登録解除が行われず、サービス利用はできない。
【００３１】
以上の登録解除のステップにおいて特記すべきことは、認証用の鍵１として通信端末１１０の固有情報である電話番号を使用しており、なお且つ、解除用の認証鍵として使用したい電話番号は、操作部１１７からのキー操作等では入力できない点である。別の言い方をすると、通信端末１１０の記憶部１１２の特定のアドレスに書き込まれた電話番号（鍵１）の読み出しと、認証鍵として使用したい電話番号の認証装置１２０への転送は、専用アプリケーションによってのみ実行できる。つまり、利用者の通信端末から認証装置１２０に転送できるのはその通信端末に固有の電話番号のみであり、任意の電話番号は転送することはできない。
【００３２】
従って、登録解除できるのは予めその電話番号が認証鍵として登録された通信端末に限られ、安全性の高いセキュリティシステムが実現できる。また、登録解除を行う際にその都度パスワードの入力操作を行う必要も無く、所定の通信端末を所持していれば登録解除を行うことができるという高い利便性をも併せて実現できる。
【００３３】
また、この実施の形態では、一つの専用アプリケーションにおいて２つの異なるモード（登録モードと解除モード）を使い分けることで、それぞれ登録機能と解除機能を実現する例を示した。その一方、前記機能ごとに別々のアプリケーションを使用する方法であっても本発明の特徴の範囲内に含まれることは言うまでもない。
【００３４】
以上説明したように、登録作業者と利用者（登録解除者）が同一の場所にいなかったり、あるいは同一の場所にいても別人であったりする場合であっても、登録作業者は認証登録を行う際に利用者が所持する通信端末の電話番号を知っていれば、利用者が所持する通信端末がその場になくても認証登録を行うことができる。一方、利用者も登録解除を行う際にその都度パスワードを入力する必要も無く、予めその電話番号が認証鍵として登録された通信端末を所持していれば直ちに登録解除を行うことができる。
【００３５】
次に、本発明によるセキュリティシステムの他の実施の形態について説明する。
【００３６】
図３は、本発明によるセキュリティシステムの第２の実施の形態を示す概略ブロック図である。図３において、通信端末２１０は、図１の通信端末１１０のＩ／Ｆ１１４の代わりに赤外線Ｉ／Ｆ ２１４を備えており、認証装置２２０についても図１の認証装置１２０のＩ／Ｆ１２４の代わりに近距離無線通信を行う赤外線インターフェイスをインターフェイス２２４として搭載している。これ以外の構成は、図１と同じである。この構成によって、ケーブル１３０を介する必要無しに、通信端末２１０と認証装置２２０との間データ送受することが可能となる。
【００３７】
図４は、本発明によるセキュリティシステムの第３の実施の形態を示す概略ブロック図である。図４において、通信端末３１０は、非接触ＩＣカード技術であるＦｅｌｉＣａを搭載しており、認証装置３２０についても非接触ＩＣカードリーダライタをインターフェイス３２４として搭載している以外は、図１の構成と同じである。この構成によって前記第２の実施の形態と同様に有線ではない接続を行うことができる。さらに以下のような構成を追加しても良い。
【００３８】
すなわち、通信端末３１０の制御部１１１は、記憶部１１２に記憶された専用アプリケーションを初回起動した際に作成する鍵１の保存先として非接触ＩＣカードの記憶部３１２を利用する。鍵１の保存先を非接触ＩＣカードの記憶部３１２とし、モバイルＦｅｌｉＣａにおける通信機能を使ってのデータ通信（サイバ）を行うことで、登録解除を行う際に通信端末上で専用アプリケーションを起動する必要がなくなる。非接触ＩＣカードの記憶部３１２は通信端末上で専用アプリケーションの起動状態にかかわらずアクセスできるからである。更に利便性が高まる効果が期待できる。
【００３９】
以上説明してきたように、本発明による実施の形態は携帯電話番号を鍵としたセキュリティシステムであって、その利用の際の認証作業においてはサーバへのアクセスを必要としない。つまり、通信端末と認証装置とのローカル処理のみで認証作業が完結する。従って、認証に際して通信処理の時間やコストが発生しない。インフラに関しても通信回線の設備が認証装置においては全く不要であり、また通信端末においても通信回線の使用はアプリケーションをダウンロードする初回に限られる。通信回線の利用が限られる状況下において、本システムの優位性は際立ち、大きな効果がある。
【００４０】
第２の効果は、登録作業者と利用者（登録解除者）が同一の場所にいなかったり、あるいは同一の場所にいても別人であったりする場合であっても認証登録が可能であるため、システム利用の利便性が非常に高い点である。即ち、認証登録を行う際に、利用者の有する通信端末自体がその場になくてもその電話番号を登録作業者が知っていれば認証登録を行うことができる。
【００４１】
第３の効果は、利用者が登録解除を行う際、その都度パスワードを入力する必要がないことにある。本発明の実施の形態では認証鍵として通信端末固有である電話番号を利用し、かつ予め通信端末内の特定の記憶部に保存しているため、予めその電話番号が認証鍵として登録された通信端末を所持していれば、パスワードの入力操作を行うことなしに登録解除を行うことができる。
【００４２】
第４の効果は、認証装置固有の認証鍵が必要ないことにある。本発明の実施の形態では、認証登録のたびに鍵２を入力するため、登録解除を行う通信端末に対応させて鍵を変更することができる。即ち、認証鍵が固定化していないため、認証鍵の遺漏事故や犯罪に対して高いセキュリティを有する。
【００４３】
このような高い安全性と利便性を兼ね備えたセキュリティシステムを提供できる効果は産業上極めて大きいと言える。
【図面の簡単な説明】
【００４４】
【図１】本発明によるセキュリティシステムの第１の実施の形態を示すブロック図である。
【図２】本発明によるセキュリティシステムの実施の形態の概要を説明する説明図である。
【図３】本発明によるセキュリティシステムの第２の実施の形態を示す概略ブロック図である。
【図４】本発明によるセキュリティシステムの第３の実施の形態を示す概略ブロック図である。
【図５】本発明によるセキュリティシステムの実施の形態の動作を表すフローチャートである。
【図６】従来のセキュリティシステムの認証手順を説明する説明図である。
【符号の説明】
【００４５】
１００                    通信端末
１１０、２１０、３１０    通信端末
１２０、２２０、３２０    認証装置
１３０                    ケーブル
１１２、３１２            記憶部
１２２                    記憶部
１１１                    制御部
１２１                    制御部
１１４、２１４、３１４    Ｉ／Ｆ
１２４、２２４、３２４    Ｉ／Ｆ
【図１】
2007272618.tif 000003
【図２】
2007272618.tif 000004
【図３】
2007272618.tif 000005
【図４】
2007272618.tif 000006
【図５】
2007272618.tif 000007
【図６】
2007272618.tif 000008